(57)【要約】【課題】蛍光染色した泳動ゲルに紫外線を照射する蛍光トランスイルミネーターと、紫外線を照射された泳動ゲルが発する蛍光を受光してその蛍光スペクトルを観測する観測部とを含んでなる蛍光測定装置において、蛍光トランスイルミネーターの紫外発光強度を犠牲にすることなくコントラストの低下を防いで、測定精度を向上させる。【解決手段】希ガス紫外蛍光ランプ２の下部に泳動ゲル５を置き、ランプ２の上部に観測系の受光部（図示せず）を配置する。ランプ２の中央部分に、ゲル５からの蛍光が通り抜ける開口（窓部４）を設けておく。ゲル５を載せる台板３は紫外線の照射で発光しない材質のものにし、表面に低反射膜を形成しておく。紫外蛍光ランプ２からの紫外線はゲル５載置用の台板３で吸収され、また台板３が発光もしないので、観測系の受光部にはゲル５からの蛍光だけが入射し、コントラストが向上して高精度の測定ができる。【選択図】      図１
2005127736.tif 000002
【特許請求の範囲】
【請求項１】
蛍光染色した泳動ゲルに紫外線を照射する蛍光トランスイルミネーターと、紫外線を照射された泳動ゲルが発する蛍光を受光してその蛍光スペクトルを観測する観測部とを含んでなる蛍光測定装置において、
前記蛍光トランスイルミネーターは、紫外線を発光するための面光源の紫外線光源と、紫外線の被照射体である前記蛍光染色した泳動ゲルを載置するための載置台とを少なくとも備え、
前記観測部は、前記泳動ゲルが発する蛍光を受光するための受光部を有し、
前記泳動ゲルの載置台と前記受光部とが、前記紫外線光源を挟んで対峙する位置関係にあることを特徴とする蛍光測定装置。
【請求項２】
前記蛍光トランスイルミネーターの紫外線光源は、面内に、前記泳動ゲルが発する蛍光を前記載置台の側から前記受光部の側に通過させるための開口領域を有することを特徴とする、請求項１に記載の蛍光測定装置。
【請求項３】
蛍光染色した泳動ゲルに紫外線を照射し、紫外線を照射された泳動ゲルが発する蛍光を受光してその蛍光スペクトルを観測する構成の蛍光測定装置に用いる、前記泳動ゲルに紫外線を照射するための蛍光トランスイルミネーターであって、紫外線を発光するための紫外線光源と、前記蛍光染色した泳動ゲルを載置するための載置台とを少なくとも備える蛍光トランスイルミネーターにおいて、
前記紫外線光源は面光源で、前記載置台の上方に載置台から距離を空けて設けられており、前記泳動ゲルが発する蛍光を載置台の側から載置台とは反対の側へ通すための開口領域が設けられている構造であることを特徴とする蛍光トランスイルミネーター。
【請求項４】
前記載置台は、その表面が低反射性を有する構造のものであることを特徴とする、請求項３に記載の蛍光トランスイルミネーター。
【請求項５】
前記載置台は、その表面で入射光が乱反射するように、母材の表面を荒らした構造のものであることを特徴とする、請求項４に記載の蛍光トランスイルミネーター。
【請求項６】
前記載置台は、これを形作っている母材を化成処理して母材の表層を低反射膜に変化させた構造のものであることを特徴とする、請求項４又は請求項５に記載の蛍光トランスイルミネーター。
【請求項７】
前記載置台は、これを形作っている母材の表面に低反射膜を堆積させた構造のものであることを特徴とする、請求項４又は請求項５に記載の蛍光トランスイルミネーター。
【請求項８】
前記紫外線光源が水銀蒸気非含有の希ガス蛍光ランプからなることを特徴とする、請求項３に記載の蛍光トランスイルミネーター。
【請求項９】
前記紫外線光源が平板構造の希ガス蛍光ランプからなることを特徴とする、請求項８に記載の蛍光トランスイルミネーター。
【請求項１０】
前記紫外線光源の希ガス蛍光ランプは、蛍光体に、ガドリニウム付活希土類アルミニウム・スカンジウム硼酸塩からなる紫外発光蛍光体、ガドリニウム付活の希土類アルミニウム硼酸塩からなる紫外発光蛍光体又は、ガドリニウム付活或いはガドリニウム・プラセオジューム共付活の紫外発光蛍光体を用いていることを特徴とする、請求項８又は請求項９に記載の蛍光トランスイルミネーター。
【発明の詳細な説明】
【技術分野】
【０００１】
本発明は、蛍光測定装置とこれに用いる蛍光トランスイルミネーターに関し、特に、測定精度の向上に有効な技術に関する。
【背景技術】
【０００２】
ＤＮＡ（デオキシリボ核酸）を解析する手段の一つに、ゲル電気泳動法がある。この解析方法は、ＤＮＡは全体として“負（−）”に荷電していて、適当な電解質溶液中で電圧をかけると正（＋）極側へと移動（泳動）してゆくという現象を利用する。例えばアガロース（寒天）のような、ＤＮＡに対して均一なふるい効果を示す物質（ゲル）に電解質溶液を含ませておいて、そのゲル中でＤＮＡを泳動させると、そのときのＤＮＡの移動速度はＤＮＡのサイズ（分子量：塩基数）と相関関係がある。そのような、電気泳動の移動速度の違いを利用して、サンプルをあらかじめ分子量がわかっているマーカーと一緒に電気泳動するなどの方法によって、サンプルの分子量を知るのである。
【０００３】
ここで、ゲル電気泳動法における泳動の移動速度、つまりは移動距離の測定に当って、電気泳動によって分離したＤＮＡはそのままでは目でみることはできない。そこで、泳動を終わったゲルを、例えばエチジウムブロマイドのような、ＤＮＡに結合する蛍光物質の溶液で染色する。場合によっては、ゲルを作製するときに予めエチジウムブロマイドを加えておく。この蛍光染色したゲルに紫外線を照射すると、ＤＮＡの部分がオレンジ色に蛍光を発するので、この蛍光を検出してＤＮＡの移動距離を測定する。上述のような、紫外線照射のために用いられる紫外線ランプユニットを総称して、蛍光トランスイルミネーターと呼んでいる。
【０００４】
移動距離の測定には、以前は、ポラロイドカメラ（登録商標）で蛍光を発するゲルの写真を撮るのが一般的であったが、最近ではＣＣＤカメラで撮影して、モニターに映し出した結果を記録し、コンピューターによる解析を行うなどの方法も行われている。どの方法をとるにせよ、蛍光スペクトルの強度を解析することになるので、記録されたデータには精密さが求められる。
【０００５】
上述した蛍光トランスイルミネーターの基本構成は、図５に示すように、箱状の筐体１０の中に紫外線光源である紫外蛍光ランプ１１を収納し、筐体１０の上面には開口を設けて、その開口に可視光カットフィルター（紫外線バンドフィルター）１２を嵌め込み、測定対象である泳動ゲル５を紫外線バンドフィルター１２の上に載置するような構成になっている。紫外線光源の紫外蛍光ランプ１１には、通常、放電媒体の気体に水銀蒸気を含んだ水銀励起の蛍光ランプが用いられ、直管形のランプを複数本並行に並べて面光源状にしてある（従来例１。例えば、特許文献１〜３参照）。このような構成で、紫外蛍光ランプ１１が放射した紫外線を、紫外線バンドフィルター１２を通して、フィルター１２の上に載置した泳動ゲル５に照射する。そして、図示はしないが、図中に「観察方向」と記された白抜きの矢印の先の方に、前述したポラロイドカメラ或いはＣＣＤカメラの受光面を配置して、泳動ゲル５が発した蛍光を取り込むようになっている。蛍光ランプ１１の放射光に含まれる可視領域の光は、紫外線バンドフィルター１２によって阻止される。
【０００６】
なお、一般に紫外線は、波長の長い方からＵＶ−Ａ（波長３１５〜４００ｎｍ）、ＵＶ−Ｂ（２８０〜３１５ｎｍ）、ＵＶ−Ｃ（１００〜２８０ｎｍ）の三つの波長帯に大別されるのであるが、蛍光トランスイルミネーターの場合は、蛍光物質であるエチジウムブロマイドがＵＶ−Ｂ領域の紫外線で効率よく発光することから、紫外線光源にはこの領域の紫外線を発光する水銀蛍光ランプが採用されている。そのような水銀蛍光ランプの蛍光体には、例えば、（Ｃａ，Ｚｎ）３  （ＰＯ４）２  ：Ｔｌなどのような、ＵＶ−Ｂ領域の波長に発光ピークをもつタリウム（Ｔｌ）付活の蛍光体が用いられている。
【０００７】
上述した従来例１の蛍光トランスイルミネーターは、紫外線光源に水銀励起の蛍光ランプを用いていることから、次のような改善すべき課題をかかえていた。第一は、水銀輝線を励起源としていることに係わる問題である。寒冷地や冬季などの低温環境のもとでは水銀の蒸気圧が低下するので、放電開始が困難になる。また、放電を開始しても、点灯後の温度上昇により管内の水銀蒸気圧が上がっていくので、点灯直後と安定状態での発光強度が異なり、光出力が安定するまでに時間がかかる。この光出力の立上がりが遅いという特性は、観測する前にＤＮＡ試料が破壊されてしまうという重大な問題を引き起こす。
【０００８】
更に、水銀蛍光ランプからの放射光には可視光成分も含まれているので、紫外線バンドフィルター１２がどうしても欠かせない。ところが、このフィルター１２は、紫外線は通すが可視光は遮断するという特殊な特性をもつフィルタであるため、非常に高価であり、実際の蛍光トランスイルミネーターの価格の３〜８割を占めるほどである。
【０００９】
尚、水銀は環境に対する負荷が大きいことから、蛍光ランプにおける水銀の使用量の削減または全廃ということも、近年では重要な課題になってきている。
【００１０】
第二の問題は、水銀蛍光ランプに用いられている蛍光体の発光強度は必ずしも十分強いとは言えず、観察対象の試料を十分に蛍光発光させることができなかったことである。
【００１１】
そこで本発明者は、それまでの蛍光トランスイルミネーターにおける上述した問題を解決するため、水銀非含有で紫外線発光強度の強い蛍光体を使った希ガス放電ランプを紫外線光源に用いた蛍光トランスイルミネーターを発明した（従来例２。特開平２００３−１９４７２１号公報参照）。この従来例２に係る蛍光トランスイルミネーターは、紫外線光源に、図６に示すような平板形の希ガス紫外蛍光ランプ１３を用いている。この図に示す紫外蛍光ランプ１３は、電極側基板１４と光取出し側基板１５の２枚のガラス板を向い合わせにして対面させ、それら２枚のガラス板の間に額縁状の枠１６を挟んで、各ガラス基板１４，１５と枠１６との間を気密的に封着して、中空で平板状の放電室を作った構造になっている。放電室内には、放電媒体のガスが封入されている。このガスは、例えばキセノン（Ｘｅ）や、或いはキセノンとアルゴン（Ａｒ）、ネオン（Ｎｅ）などの他の希ガスとの混合ガスのような、キセノンを主成分とする希ガスのみからなり、水銀蒸気を含んでいない。
【００１２】
電極側基板１４の放電室側の面には、第１電極１７及び第２電極１８の２つの電極が形成されている。これら２つの電極１７、１８はどちらも櫛の歯状の電極で、お互いに自分の櫛の歯を相手の櫛の歯の間に互い違いに入れ込んで噛み合ったような平面形状をしている。これらの電極１７，１８の上には、例えばシリカを主成分とする誘電体層１９が設けられている。
【００１３】
一方、光取出し側の基板１５は、光学ガラスなどの紫外線透過性のガラス板でできていて、放電室側の面に紫外発光の蛍光体層２０が設けられている。この蛍光体には、従来の水銀蛍光ランプに用いられていたタリウム付活の蛍光体に代わって、例えばＹＢＯ３  ：Ｇｄ蛍光体のようなＹＢｘ  Ｏｙ  ：Ｇｄ蛍光体（ｘ，ｙは任意）で表されるガドリニウム付活の蛍光体や、例えばＬａＢ３  Ｏ６  ：Ｇｄ，Ｐｒ或いはＬａＭｇＢ５  Ｏ１０：Ｇｄ，Ｐｒのようなガドリニウム、プラセオジウム付活の蛍光体が用いられている。
【００１４】
この従来例２に係る蛍光トランスイルミネーターの紫外蛍光ランプは、放電媒体のガスに水銀蒸気を含んでいない。また、用いている蛍光体は従来のものに比べ紫外線の発光強度が強く、しかも発光スペクトルは波長３１３ｎｍにシャープなピークをもつだけで、他の波長の発光は、紫外領域にも可視領域にもない。これらのことから、従来例１の蛍光トランスイルミネーターにおける上述した問題は解消され、泳動ゲルが発する蛍光以外の、紫外線光源からの可視光をカットするための高価な紫外線バンドフィルター１２（図５参照）は不要である。
【００１５】
尚、従来例２の蛍光トランスイルミネーターにおいて、紫外線光源の希ガス紫外蛍光ランプは、面光源状のものであれば、平板形のものではなく例えば直管形の希ガス蛍光ランプを複数本並行に並べたもののような、管形蛍光ランプを用いたものでもよい。
【００１６】
【特許文献１】特開平５−２１５７１４号公報（段落［０００２］〜［０００３］、図７〜８）
【特許文献２】米国特許第５３４７３４２号（第３頁、左欄第５〜５５行、図３）
【特許文献３】米国特許第５３８７８０１号（第５頁、左欄第５〜５１行、図１）
【特許文献４】特開平２００３−１９４７２１号公報（第３〜９頁、第２図）
【発明の開示】
【発明が解決しようとする課題】
【００１７】
従来例２の蛍光トランスイルミネーターによれば、紫外線光源に、水銀不使用の希ガス蛍光ランプで、蛍光体にそれまでのものより紫外発光強度の強い蛍光体を使った蛍光ランプを用いることで、それまでの蛍光トランスイルミネーターに課せられていた、水銀励起の蛍光ランプを紫外線光源に用いることに関わる諸問題を改善できる。
【００１８】
それらの改善点の一つに、それまでの蛍光トランスイルミネーターには欠かせなかった高価な紫外線バンドフィルター１２（図５参照）を不要にすることができ、蛍光トランスイルミネーターの価格を下げることができるということがある。又、図７に示すように、筐体２１の上板２２をくりぬいて、紫外蛍光ランプ１３からの紫外線を通すための開口部（紫外線通過窓２３）を開け、泳動ゲル５をその紫外線通過窓２３の上に直接載せるというように、筐体の構造を簡単にすることができるようにもなる。
【００１９】
ここで、本発明者らは、従来例２の蛍光トランスイルミネーターにおいて、次のような現象を発見した。すなわち、ゲル電気泳動法に用いられるゲルは寒天からできていて、外力などによって変形する。そこで、蛍光トランスイルミネーターによって泳動ゲルに紫外線を照射するに当たって、図７に示すように、ゲル５を下面に何も支持するもののない開口（紫外線通過窓２３）の上に架けわたして載置すると、ゲル５は自重で中だるみ状態になり、ＤＮＡの移動距離の測定に誤差が生じる。このようなことから、測定精度の観点から、蛍光トランスイルミネーターの筐体２１は、上板２２の紫外線通過窓２３の部分にガラス板のような光透過性の板を張って、ゲル５を下側から支持するような構造にしておくことが好ましい。
【００２０】
ところが、そのようにした場合、ゲル支持用ガラス板の材質の選定が難しい。従来例２に係る蛍光トランスイルミネーターにおいては、紫外線光源の発光強度はそれまでの従来例１に係る蛍光トランスイルミネーターに比べ、格段に強くなっている。そこで、ゲル５の支持に安価な光学ガラスを用いると、そのガラス板自体が紫外蛍光ランプ１３からの紫外線によって発光してしまうのである。結局、測定系の方では、ゲル５からの蛍光のみならず、ゲル支持用ガラス板からの発光まで拾うことになり、コントラストが低下して測定精度が悪化してしまう。ゲル支持用のガラス板に、安価な光学ガラスに替えて石英ガラスを用いれば、上述したゲル支持用ガラス板の発光による測定精度の悪化は避けられるものの、石英ガラスは高価であり、蛍光トランスイルミネーターの価格を押し上げてしまう。
【００２１】
ゲル支持用ガラス板の発光を避ける他の方法として、紫外蛍光ランプ１３からゲル５までの距離を遠くする方法もあるが、そのようにすると、筐体２１の厚さが厚くなって装置全体が大型化してしまうし、何より、紫外線光源からゲル５迄の距離が遠くなる分、ゲル５に照射される紫外線の強度が低下するので、折角、紫外線光源の発光強度を強くした効果が減殺されてしまう。
【００２２】
従って、本発明は、蛍光染色した泳動ゲルに紫外線を照射する蛍光トランスイルミネーターと、紫外線を照射された泳動ゲルが発する蛍光を受光してその蛍光スペクトルを観測する観測部とを含んでなる蛍光測定装置において、蛍光トランスイルミネーターの紫外発光強度を犠牲にすることなくコントラストの低下を防いで、測定精度を向上させることを目的とする。
【課題を解決するための手段】
【００２３】
本発明の蛍光測定装置は、蛍光染色した泳動ゲルに紫外線を照射する蛍光トランスイルミネーターと、紫外線を照射された泳動ゲルが発する蛍光を受光してその蛍光スペクトルを観測する観測部とを含んでなる蛍光測定装置において、前記蛍光トランスイルミネーターは、紫外線を発光するための面光源の紫外線光源と、紫外線の被照射体である前記蛍光染色した泳動ゲルを載置するための載置台とを少なくとも備え、前記観測部は、前記泳動ゲルが発する蛍光を受光するための受光部を有し、前記泳動ゲルの載置台と前記受光部とが、前記紫外線光源を挟んで対峙する位置関係にあることを特徴とする。
【００２４】
本発明の蛍光トランスイルミネーターは、蛍光染色した泳動ゲルに紫外線を照射し、紫外線を照射された泳動ゲルが発する蛍光を受光してその蛍光スペクトルを観測する構成の蛍光測定装置に用いる、前記泳動ゲルに紫外線を照射するための蛍光トランスイルミネーターであって、紫外線を発光するための紫外線光源と、前記蛍光染色した泳動ゲルを載置するための載置台とを少なくとも備える蛍光トランスイルミネーターにおいて、前記紫外線光源は面光源で、前記載置台の上方に載置台から距離を空けて設けられており、前記泳動ゲルが発する蛍光を載置台の側から載置台とは反対の側へ通すための開口領域が設けられている構造であることを特徴とする。
【発明の効果】
【００２５】
本発明によれば、蛍光染色した泳動ゲルに紫外線を照射する蛍光トランスイルミネーターと、紫外線を照射された泳動ゲルが発する蛍光を受光してその蛍光スペクトルを観測する観測部とを含んでなる蛍光測定装置において、蛍光トランスイルミネーターの紫外発光強度を犠牲にすることなくコントラストの低下を防いで、測定精度を向上させることができる。
【発明を実施するための最良の形態】
【００２６】
次に、本発明の実施の形態について、図面を参照して説明する。
【実施例１】
【００２７】
本発明の実施例１に係る蛍光トランスイルミネーターの構成を模式的に示す図１を参照して、箱形の筐体１の上面に、面光源の紫外蛍光ランプ２が嵌め込まれている。この紫外蛍光ランプ２は泳動ゲルに紫外線を照射するための紫外線光源である。断面構造は、従来例２の蛍光トランスイルミネーターに用いられている平板形の希ガス紫外蛍光ランプと同じである（図６参照）。すなわち、電極側基板１４と光取出し側基板１５の２枚のガラス板が向い合わせになって対面していて、それら２枚のガラス板と、２枚のガラス板に挟持された額縁状の枠１６とが気密的に封着されて、中空で平板状の放電室を作っている。放電室内には、放電媒体として、水銀蒸気非含有のキセノンとアルゴンの混合ガスが封入されている。
【００２８】
電極側基板１４の放電室側の面には、櫛の歯状の第１電極１７とこれも櫛の歯状の第２電極１８の２つの電極が形成されている。これら２つの電極１７、１８は互いに自分の櫛の歯を相手の櫛の歯の間に互い違いに入れ込んで噛み合ったような平面形状をしている。これらの２つの電極１７，１８の上には、シリカを主成分とする誘電体層１９が設けられている。
【００２９】
紫外線取出し側の基板１５は、紫外線透過性の光学ガラスの板でできていて、放電室側の面に紫外発光の蛍光体層２０が設けられている。蛍光体には、特開２００２−３４８５７１号公報に開示されている、一般式（Ｙ１−ｘ  Ｇｄｘ  ）Ａｌ３  （ＢＯ３  ）４  （０＜ｘ≦１）で表わされるガドリニウム付活の希土類アルミニウム硼酸塩からなる真空紫外光励起紫外蛍光体が用いられる。更には、本発明の譲受人と同一の譲受人による特願２００３−３２８１３０号に記載の一般式（Ｙ１−ｘ  Ｇｄｘ  ）Ａｌ３−ｙ  Ｓｃｙ  （ＢＯ３  ）４  （０＜ｘ≦１，０＜ｙ≦３）で表される、ガドリニウム付活希土類アルミニウム・スカンジウム硼酸塩からなる真空紫外光励起蛍光体を用いれば、より発光強度を強めることができるので、紫外発光の高効率化の点で都合がよい。勿論、従来例２の蛍光トランスイルミネーターに用いられている、例えばＬａＢ３  Ｏ６  ：Ｇｄ，Ｐｒ或いはＬａＭｇＢ５  Ｏ１０：Ｇｄ，Ｐｒのようなガドリニウム、プラセオジウム付活の蛍光体を使ってもよいし、一般式ＹＢｘ  Ｏｙ  ：Ｇｄ（ｘ，ｙは任意）で表されるガドリニウム付活の蛍光体を用いてもよい。
【００３０】
本実施例に係る平板形の希ガス紫外蛍光ランプ２は、上述したように、断面構造は従来例２の蛍光トランスイルミネーターに用いられているものと同じであるが、平面形状は違っていて、図２に平面図を示すように、四角形の面の中央部分がくりぬかれて何もない、枠状の形になっている。このくりぬかれて何もない開口部分（窓部４）では、外光が紫外蛍光ランプ２を何の障碍もなしに通り抜けることができる。
【００３１】
筐体１の底には、蛍光染色したゲルを載置するための台板３が置かれていて、この台板３の上に測定対象である泳動ゲル５が載せられている。ゲル５を載置する場所は、上述した平板形紫外蛍光ランプ２の面の中央の、窓部４の下に当たるところである。
【００３２】
ゲル５を載置するための台板３は、表面における反射光の強度が入射光の強度より小さくなるように、低反射構造になっている。且つ、紫外線によって発光しない材質でできている。これらの条件が満たされれば、筐体１と台板３とを別々のものにせず、筐体の底板を台板として共用してもよい。更には、平らな板ではなく、ゲル５を載せるところだけを位置の目印になるように高くしたり、窪ませるなどしてもよい。尚、以下では、反射光の強度が入射光の強度より低い状態を指すときに「低反射」と呼ぶことにする。
【００３３】
図１に見られるように、本発明に係る蛍光測定装置において、測定対象のゲル５と、これに紫外線を照射する紫外蛍光ランプ２と、ゲル５が発した蛍光を受光する図示しない測定系の受光部との位置関係は、ゲル５と受光部とが紫外蛍光ランプ２を挟んで対峙している形になる。つまり、ゲル５→紫外蛍光ランプ２→測定系の受光部の順に配置されていることになる。
【００３４】
これに対し、従来の蛍光トランスイルミネーター、すなわち、図５に示す従来例１の蛍光トランスイルミネーター及び、図７に示す従来例２の蛍光トランスイルミネーターのどちらにおいても、紫外蛍光ランプ→ゲル→測定系の受光部の順に並んでいるという位置関係になっている。この並びの順の違いが、本発明が従来の蛍光トランスイルミネーターと大きく違っている点の一つである。
【００３５】
図１に示す蛍光トランスイルミネーターにおいて、紫外蛍光ランプ２が放射したＵＶ−Ｂ領域の紫外線は、紙面下方向に向って台板の上に載置したゲル５を照射する。そして、紫外線を照射されたゲル５が発する蛍光は、紫外蛍光ランプ２の中央に設けられている窓部４を通り抜けて紙面上方に向い、図中に「観察方向」と記された白抜きの矢印の先に設けられている、図示しないＣＣＤカメラのような測定系の受光部に入射する。その場合、紫外線に照射されるのはゲル５とこれを載せている台板３だけであり、台板３はその表面の光反射が少ない低反射構造になっており、しかも紫外線の照射では発光しない材質でできているので、極論すれば、測定系のＣＣＤカメラにはゲル５からの蛍光だけが入射しくる。
【００３６】
台板３は、少なくともその表面が低反射性をもっていて、かつ、紫外線の照射で発光しない材質のものでできて入ればよい。例えば、アルミニウム、銅などの非鉄金属や鉄あるいは、ステンレス、真鍮、リン青銅などのような合金の板の表面を、機械研磨やエッチングなどで適当に荒らして梨地にすれば、入射光が乱反射して反射光の強度は低下する。しかも、紫外線を照射しても発光しない。
【００３７】
更に、台板３の表面に低反射膜を設ければ、より効果的である。低反射膜の形成には、例えば化成処理によって地金の金属の表面を酸化して酸化膜を形成する、いわゆる黒染めと呼ばれる黒化処理などの方法がある。上に挙げた金属はいずれも、このような黒化処理が可能である。
【００３８】
低反射膜の形成には、上述のような台板３の地金金属自体の表層を化学的に変化させる方法の他に、地金金属の上に低反射膜を堆積させる方法もある。例えば、台板の母材にめっきを施して、光選択吸収性をもつものとしてよく知られている例えば黒色クロムめっき被膜やニッケル・クロムめっき被膜を形成するなどしても良い。
【００３９】
或いは、液晶表示パネルのカラーフィルターにおいてコントラスト向上のために使われているブラックマトリクスを形成するのと同じように、金属クロムの薄層や、更にこれに酸化クロム膜を重ねた低反射膜を、スパッタリング法や蒸着法などで台板３の母材上に堆積させても良い。また、近年、金属クロムのような金属系のブラックマトリクス材に代わって、例えばポリイミドのような樹脂に黒色顔料或いは黒色染料を分散させたもののような樹脂系のブラックマトリクス材が使われ始めているが、そのような樹脂系のブラックマトリクス材を塗布、噴霧あるいはディッピングなどの方法で、台板３の母材上に堆積させても良い。本発明における台板３の低反射膜には、液晶表示パネルのカラーフィルターのブラックマトリクスにおけるとは違って、微細なパターンを形成する必要がないので、台板３の母材の表面を予め荒らしてあっても、容易に形成できる。このように、台板の表面に低反射膜を堆積させる方法であれば、台板３の母材には特に金属ではなく、樹脂などを用いることができるので、材料選択の自由度が高まる。
【００４０】
尚、上に述べた低反射膜は、台板３の母材を化成処理したものであれ、母材上に堆積させたものであれどちらのものでも、母材の表面状態に拘わらずそれ単独で反射抑制効果をもたらすが、台板３の表面を梨地に荒らすことと併用すれば、より効果的である。
【００４１】
本発明において、紫外線光源である希ガス紫外蛍光ランプ２には、その面内に、ゲル５が発する蛍光をゲル５の側から測定系の受光部の側へ通すための領域（図１、図２における窓部４）が設けられていなければならない。実施例１においては、図２に示すように、枠状で、「ロ」の字形の閉じた平面形状をもつ紫外蛍光ランプを一つだけ使って紫外線光源を構成したが、紫外線光源の構造は、これに限らない。図３に示すように、平板形希ガス紫外蛍光ランプ（断面構造は、実施例１でこれまで述べてきたものと同じ。図６参照）を二つ、間を空けて平行に並べてもよい。更には、図４に示すように、４つの希ガス紫外蛍光ランプ（同）を「ロ」の字形になるように巴状に並べて紫外線光源にしてもよい。
【００４２】
尚、本実施例において、紫外線光源である希ガス紫外蛍光ランプのひとつ一つには、図６に示すような平板形のものを用いたが、それぞれは面光源状であればよいのであって、例えば直管形の希ガス紫外蛍光体を複数本並列に並べて面光源状にしたものでもよい。
【産業上の利用可能性】
【００４３】
本発明の蛍光測定装置は、ＤＮＡや、核酸や、タンパクなどの分析に用いて、コントラストのよい蛍光の観測を可能にし、測定精度の向上をもたらす。
【図面の簡単な説明】
【００４４】
【図１】実施例１に係る蛍光トランスイルミネーターの構成を模式的に示す図である。
【図２】本発明の蛍光トランスイルミネーターに用いる紫外線光源の一例の平面図である。
【図３】本発明の蛍光トランスイルミネーターに用いる紫外線光源の他の例の平面図である。
【図４】本発明の蛍光トランスイルミネーターに用いる紫外線光源の更に他の平面図である。
【図５】従来例１の蛍光トランスイルミネーターの構成を模式的に表す図である。
【図６】従来例２の蛍光トランスイルミネーターに用いる平板形希ガス紫外蛍光ランプの断面図である。
【図７】従来例２の蛍光トランスイルミネーターの断面図である。
【符号の説明】
【００４５】
１    筐体
２    希ガス紫外蛍光ランプ
３    台板
４    窓部
５    泳動ゲル
１０    筐体
１１    紫外蛍光ランプ
１２    紫外線バンドフィルター
１３    平板形希ガス蛍光ランプ
１４    電極側基板
１５    光取出し側基板
１６    枠
１７    第１電極
１８    第２電極
１９    誘電体層
２０    蛍光体層
２１    筐体
２２    上板
２３    紫外線通過窓
【図１】
2005127736.tif 000003
【図２】
2005127736.tif 000004
【図３】
2005127736.tif 000005
【図４】
2005127736.tif 000006
【図５】
2005127736.tif 000007
【図６】
2005127736.tif 000008
【図７】
2005127736.tif 000009